(57)【特許請求の範囲】
【請求項１】
プレーヤ本体を、カセットホルダーを開閉動自在に支持するメカシャーシを少なくとも内蔵した筐体と、この筐体に対して開閉動自在に支持され、開動時に上記カセットホルダーを開動させる蓋体とで構成し、この蓋体が閉ざされたときに上記カセットホルダーに保持されたディスクカセット内のディスクを上記メカシャーシに配置されターンテーブル上に回転自在に載置するようにしたディスク駆動装置において、
上記筐体側に設けられたテーパ部を有するガイドと、
上記蓋体側に設けられた一対のピンに貫通してスライド自在に設けられ、上記ガイドの該テーパ部に案内されて上記カセットホルダーの側部に形成された爪部に係合，離反するアームと、
このアームを上記ガイド側に付勢するように上記各ピンに介装された付勢手段と
を少なくとも有する連動開閉機構を上記筐体と上記蓋体との間に設けた
ことを特徴とするディスク駆動装置。
【発明の詳細な説明】
【０００１】
【産業上の利用分野】
この発明は、例えば光磁気ディスク等のディスクを収納したディスクカセットを保持するカセットホルダーを蓋体の開閉動に連動させて開閉するようにしたディスク駆動装置に関する。
【０００２】
【従来の技術】
例えば、光磁気ディスクを用いる録音再生機として小型ディスクプレーヤが知られている。これを、図５〜図７によって具体的に説明すると、図中１は小型ディスクプレーヤのプレーヤ本体である。このプレーヤ本体１は、メカデッキ部３０を内蔵した筐体１０と、この筐体１０の上面開口部１０ａに対して上下方向に開閉動自在に支持された蓋体２０とで構成されている。この筐体１０は、上面側が開口した合成樹脂製で筐型の下ケース１１と、この下ケース１１内に嵌め合まれて図示しないネジ等の所定手段により該下ケース１１内に固定された金属製で枠状のベースシャーシ１２とで構成されている。また、上記蓋体２０は、下面側が開口した合成樹脂製で筐型の上ケース２１と、この上ケース２１内の天井面に図示しないネジ等の所定手段により固定された正面略冂字状の金属板２２とで構成されている。
【０００３】
上記メカデッキ部３０は、金属板製のメカシャーシ３１と、このメカシャーシ３１に所定手段を介して取付けられたスピンドルモータ３２と、このスピンドルモータ３２に連結され、ディスクカセット５０の合成樹脂製で筐型のカセット本体５１内に収納された例えば直径６４ｍｍの小型の光磁気ディスク５２を回転させるターンテーブル３３と、再生用の光学ピックアップ３４と、録音用で磁界変調オーバーライトヘッド方式の磁気ヘッド３５と、上記メカシャーシ３１の後部両側に各支軸３６ａを介して上下方向に開閉動自在に設けられた金属板製のカセットホルダー３６とから構成されている。
【０００４】
メカデッキ部３０のメカシャーシ３１は、支軸１３ａと圧縮コイルバネ１３ｂと円筒状のゴム材１３ｃとから成る緩衝機構１３を介してベースシャーシ１２の四隅に折り曲げ形成された舌片状の各ブラケット１２ａに対して浮き上がるように取付けられている。また、再生用の光学ピックアップ３４は、モータやスクリューネジ等から成る図示しない駆動機構を介して光磁気ディスク５２のラジアル方向に対して往復移動自在に設けられている。さらに、録音用で磁界変調オーバーライトヘッド方式の磁気ヘッド３５は、取付アーム３５ａ等を介して光学ピックアップ３４の往復移動に同期させて光磁気ディスク５２のラジアル方向に対して往復移動するように設けられている。
【０００５】
また、図７に示すように、上記蓋体２０の金属板２２の後部は、筐体１０のベースシャーシ１２の後部にヒンジ２３を介して回動自在に支持され、これにより蓋体２０は筐体１０の上面開口部１０ａに対して上下方向に開閉動自在に設けられている。この蓋体２０の上下方向の開，閉動作に連動して上記ディスクカセット５０を保持するカセットホルダー３６も上下方向に開，閉動されるようになっている。即ち、カセットホルダー３６の両側部に一体突出形成された一対の爪部３６ｂ，３６ｂに蓋体２０の金属板２２の両側部より内側に折り曲げ形成された一対の爪部２２ａ，２２ａが係合，離反することにより、カセットホルダー３６は蓋体２０と一緒に開閉されるようになっている。
【０００６】
そして、図５に示すように、カセットホルダー３６にディスクカセット５０を保持した状態で手で蓋体２０を閉じると、ディスクカセット５０のカセット本体５１内の光磁気ディスク５２が上記ターンテーブル３３上に載置され、プレーヤ本体１の前面に設けられた図示しない録音釦を操作することによりマイクロホン等からの入力情報が上記磁気ヘッド３５等を介して上記光磁気ディスク５２に録音される。また、図示しない再生釦を操作することにより光学ピックアップ３４等を介して上記光磁気ディスク５２に録音された情報が再生される。
【０００７】
さらに、カセットホルダー３６に保持されているディスクカセット５０をイジェクトする場合に、プレーヤ本体１の前面に設けられたオープン釦１４をスライド操作すると、蓋体２０の閉ロック状態が解除されて蓋体２０が手により開けられる。そして、この蓋体２０の手操作による開動作に連動して図６，７に示すようにカセットホルダー３６の一対の爪部３６ｂ，３６ｂに蓋体２０の一対の爪部２２ａ，２２ａが係合して該カセットホルダー３６を持ち上げることによりカセットホルダー３６が開動し、該カセットホルダー３６内に保持されているディスクカセット５０が図７に示すように取り出される。
【０００８】
尚、カセットホルダー３６は、蓋体２０の金属板２２内の天井面に取付けられた金属製の一対の板バネ２４，２４により常にメカシャーシ３１側に押圧付勢されるようになっている。また、ディスクカセット５０の筐型のカセット本体５０に形成された図示しない開口部は、防塵用のシャッター５３により開閉されるようになっている。
【０００９】
【発明が解決しようとする課題】
しかしながら、上記従来の小型ディスクプレーヤでは、蓋体２０を開ける時に引っ掛かる蓋体２０の金属板２２の両側部の一対の爪部２２ａ，２２ａとカセットホルダー３６の両側部の一対の爪部３６ｂ，３６ｂとが、図５に示すように、蓋体２０を閉じた状態の時でも横方向にそれぞれ重なる部分があり、外乱を防ぐために開けたスペースが無駄になって外乱を確実に防ぐことが難しかった。即ち、蓋体２０の閉時に、蓋体２０の金属板２２の両側部より突設した一対の爪部２２ａ，２２ａの先端とカセットホルダー３６の両側部との間には充分な隙間がないので、プレーヤ本体１０に衝撃（外乱）が加わった時に、この衝撃力が上記一対の爪部２２ａ，２２ａを介してカセットホルダー３６やメカシャーシ３１側に伝達されて該カセットホルダー３６等が振動し、再生時に光学ピックアップ３４の音飛びの原因となった。
【００１０】
尚、プレーヤ本体１に加わった衝撃（外乱）をメカデッキ部３０側へ伝わらないようにするために、蓋体２０の金属板２２に引張りコイルバネ等のバネにより蓋体２０の閉時に横方向に逃げるようにした爪により、蓋体２０の開時に一緒にカセットホルダー３６も開くようにする構成も考えられるが、この構成では上記バネの引張力による悪影響を無視することができない。
【００１１】
そこで、この発明は、駆動装置本体に衝撃等の外乱が加わってもカセットホルダー側への振動等の影響を確実に軽減することができるディスク駆動装置を提供するものである。
【００１２】
【課題を解決するための手段】
プレーヤ本体を、カセットホルダーを開閉動自在に支持するメカシャーシを少なくとも内蔵した筐体と、この筐体に対して開閉動自在に支持され、開動時に上記カセットホルダーを開動させる蓋体とで構成し、この蓋体が閉ざされたときに上記カセットホルダーに保持されたディスクカセット内のディスクを上記メカシャーシに配置されターンテーブル上に回転自在に載置するようにしたディスク駆動装置において、上記筐体側に設けられたテーパ部を有するガイドと、上記蓋体側に設けられた一対のピンに貫通してスライド自在に設けられ、上記ガイドの該テーパ部に案内されて上記カセットホルダーの側部に形成された爪部に係合，離反するアームと、このアームを上記ガイド側に付勢するように上記各ピンに介装された付勢手段とを少なくとも有する連動開閉機構を上記筐体と上記蓋体との間に設けた。
【００１３】
【作用】
蓋体の閉時に、駆動装置本体に衝撃等の外乱が加わっても、連動開閉機構がカセットホルダーの爪部より離れているため、上記外乱による衝撃力がカセットホルダー側へ伝わるのが防止される。これにより、駆動装置本体に衝撃等が加わっても、この衝撃力によるカセットホルダー側への振動等の影響が確実に軽減され、ディスク駆動装置の再生等が常に良好な安定した状態で行われる。
【００１４】
【実施例】
以下、この発明の一実施例を図面と共に詳述する。
【００１５】
図１〜図４において、図中１は録音再生機としての小型ディスクプレーヤのプレーヤ本体であり、該プレーヤ本体１を、メカデッキ部３０を内蔵した筐体１０と、この筐体１０の上面開口部１０ａに対して上下方向に開閉動自在に支持された蓋体２０とで構成してある点、この筐体１０を、上面側が開口した合成樹脂製で筐型の下ケース１１と、この下ケース１１内に嵌め込み固定された金属製で枠状のベースシャーシ１２とで構成してある点、上記蓋体２０を、下面側が開口した合成樹脂製で筐型の上ケース２１と、この上ケース２１内の天井面に固定された正面略冂字状の金属板２２とで構成してある点、上記メカデッキ部３０を、金属板製のメカシャーシ３１と、このメカシャーシ３１に取付けられたスピンドルモータ３２と、このスピンドルモータ３２に連結され、ディスクカセット５０のカセット本体５１内に収納された光磁気ディスク５２を回転させるターンテーブル３３と、再生用の光学ピックアップ３４と、録音用で磁界変調オーバーライトヘッド方式の磁気ヘッド３５と、上記メカシャーシ３１の後部両側に各支軸３６ａを介して上下方向に開閉動自在に設けられた金属板製のカセットホルダー３６とで構成してある点、メカシャーシ３１を、支軸１３ａと圧縮コイルバネ１３ｂと円筒状のゴム材１３ｃとから成る緩衝機構１３を介してベースシャーシ１２の四隅に折り曲げ形成された舌片状の各ブラケット１２ａに対して浮き上がるように取付けてある点、再生用の光学ピックアップ３４及び録音用の磁気ヘッド３５を、モータ３７ａやスクリューネジ３７ｂ等から成る駆動機構３７を介して光磁気ディスク５２のラジアル方向に対して往復移動自在に設けてある点、蓋体２０を筐体１０の上面開口部１０ａに対して上下方向に開閉動自在に設けてある点、この蓋体２０の上下方向の開，閉動作に連動して上記ディスクカセット５０を保持するカセットホルダー３６も上下方向に開，閉動されるように構成してある点は、従来の構成と同様である。
【００１６】
ここで、上記筐体１０の金属製のベースシャーシ１２と上記蓋体２０の金属板２２との間には、該蓋体２０の開，閉動時に、上記カセットホルダー３６の両側部に一体突出形成された一対の爪部３６ｂ，３６ｂに係合，離反して該カセットホルダー３６を蓋体２０と一緒に開，閉動させる一対の連動開閉機構４０，４０を設けてある。この各連動開閉機構４０は、上記ベースシャーシ１２の側部中央に一体突出形成されたガイド４１と、上記金属板２２の側部の内側に植設された一対のピン４３，４３に貫通してスライド動自在に設けられ、上記ガイド４１のテーパ部４１ａ等により上記カセットホルダー３６の各爪部３６ｂに係合，離反する金属板製のアーム４２と、このアーム４２をガイド４１側に付勢するように上記各ピン４３に介装された各圧縮コイルバネ（付勢手段）４４とで構成されている。
【００１７】
そして、上記各アーム４２の下部の内側には爪部４２ａを折り曲げ形成してある。この各アーム４２の爪部４２ａ，４２ａが、上記カセットホルダー３６の両側部に一体突出形成された一対の爪部３６ｂ，３６ｂに係合，離反することにより、蓋体２０と一緒にカセットホルダー３６は開閉されるようになっている。
【００１８】
以上実施例の小型ディスクプレーヤによれば、図１に示すように、カセットホルダー３６にディスクカセット５０を保持した状態で手で蓋体２０を閉じると、ディスクカセット５０のカセット本体５１内の光磁気ディスク５２がターンテーブル３３上に載置され、プレーヤ本体１の前面に設けられた図示しない録音釦を操作することによりマイクロホン等からの入力情報を磁気ヘッド３５等を介して上記光磁気ディスク５２に録音することができる。また、図示しない再生釦を操作することにより光学ピックアップ３４等を介して上記光磁気ディスク５２に録音された情報を再生することができる。
【００１９】
さらに、カセットホルダー３６に保持されているディスクカセット５０をイジェクトする場合に、プレーヤ本体１の前面に設けられたオープン釦１４をスライド操作すると、蓋体２０の閉ロック状態が解除されて蓋体２０が手で開けられる。この蓋体２０を手で上方に持ち上げて該蓋体２０を開くと、該蓋体２０の開動作に連動して図２，４に示すように一対の連動開閉機構４０，４０の各アーム４２が持ち上がる。さらに蓋体２０を開いて各アーム４２を持ち上げると、この各アーム４２が筐体１０側より突設した各ガイド４１のテーパ部４１ａに接触し、該各ガイド４１のテーパ部４１ａに沿って各アーム４２が各圧縮コイルバネ４４の付勢力に抗してカセットホルダー３６の両側部に近づいて行く。そして、各アーム４２の爪部４２ａ，４２ａとカセットホルダー３６の両側部の一対の爪部３６ｂ，３６ｂとが係合して蓋体２０と一緒にカセットホルダー３６が持ち上がって開く。蓋体２０と一緒にカセットホルダー３６が開くと、カセットホルダー３６内に保持されているディスクカセット５０が図４に示すように取り出される。
【００２０】
また、図２，４に示す状態から、カセットホルダー３６にディスクカセット５０を保持した状態で蓋体２０を手で徐々に閉めて行くと、今度は、一対の連動開閉機構４０，４０の各アーム４２が圧縮コイルバネ４４の付勢力により各ガイド４１側に押圧されて該各ガイド４１に沿って下がって行く。そして、図１に示すように、蓋体２０が完全に閉められると、カセットホルダー３６の両側部の一対の爪部３６ｂ，３６ｂから各アーム４２の爪部４２ａ，４２ａが完全に離れた位置に収納される。これにより、蓋体２０の閉時に、プレーヤ本体１に衝撃等の外乱が加わっても、上記一対の連動開閉機構４０，４０が上記カセットホルダー３６の一対の爪部３６ｂ，３６ｂより完全に離れて該カセットホルダー３６とのクリアランスを充分に取ることができるため、上記外乱による衝撃力がカセットホルダー３６やメカシャーシ３１側、即ちメカデッキ部３０へ伝わるのを確実に防ぐことができる。これにより、プレーヤ本体１に衝撃等の外乱が加わっても、この外乱の衝撃力によるカセットホルダー３６側への振動等の影響を軽減することができ、光学ピックアップ３４の音飛び等を確実に防ぐことができ、ディスクプレーヤの記録，再生を常に良好な安定した状態で行うことができる。
【００２１】
また、ガイド４１とアーム４２とピン４３及び圧縮コイルバネ４４から成る簡単な構造の連動開閉機構４０により、プレーヤ本体１からメカデッキ部３０への外乱の伝わるのを確実に防ぐことができるので、プレーヤ本体１全体の耐振性の向上を大幅に図ることができる。さらに、部品点数も少なくて済むので、プレーヤ本体１全体のコストの低廉化を一段と図ることができる。
【００２２】
尚、前記実施例によれば、連動開閉機構のアームを付勢する付勢手段を圧縮コイルバネとしたが、引張りコイルバネ等の他の付勢手段でもよい。また、連動開閉機構をカセットホルダーの両側に一対設けたが、カセットホルダーの片側に１つ設けてもよい。さらに、光磁気ディスクを用いる録音再生機について説明したが、再生専用機や光ディスクや磁気ディスクを用いる他のディスク駆動装置に前記実施例を適用できることは勿論である。
【００２３】
以上のように、この発明のディスク駆動装置によれば、プレーヤ本体を構成する筐体と蓋体との間に、上記筐体側に設けられたテーパ部を有するガイドと、上記蓋体側に設けられた一対のピンに貫通してスライド自在に設けられ、上記ガイドの該テーパ部に案内されて上記カセットホルダーの側部に形成された爪部に係合，離反するアームと、このアームを上記ガイド側に付勢するように上記各ピンに介装された付勢手段とを少なくとも有する連動開閉機構を上記筐体と上記蓋体との間に設けたことにより、蓋体の閉時に、プレーヤ本体に衝撃等のが外乱が加わっても、上記連動開閉機構が上記カセットホルダーの爪部より離れているため、上記外乱による衝撃力がカセットホルダー側へ伝わるのを確実に防止することができる。これにより、駆動装置本体に衝撃等が加わっても、この衝撃力によるカセットホルダー側への振動等の影響を確実に軽減することができ、ディスク駆動装置の再生等を常に良好な安定した状態で行なうことができる。
【図面の簡単な説明】
【図１】この発明の一実施例を示す小型ディスクプレーヤの蓋体が閉じた状態を正面側から見た断面図。
【図２】上記小型ディスクプレーヤの蓋体が開いた状態を正面側から見た断面図。
【図３】上記小型ディスクプレーヤの蓋体が閉じた状態を平面側より見た断面図。
【図４】上記小型ディスクプレーヤの蓋体が開いた状態を側面側より見た断面図。
【図５】従来の小型ディスクプレーヤの蓋体が閉じた状態を正面側から見た断面図。
【図６】従来の小型ディスクプレーヤの蓋体が開いた状態を正面側から見た断面図。
【図７】従来の小型ディスクプレーヤの蓋体が開いた状態を側面側より見た断面図。
【符号の説明】
１…プレーヤ本体
１０…筐体
２０…蓋体
３１…メカシャーシ
３３…ターンテーブル
３６…カセットホルダー
４０…連動開閉機構
４１…ガイド
４２…アーム
４４…圧縮コイルバネ（付勢手段）
５０…ディスクカセット
５２…ディスク
【図１】
0003591014.tif 000002
【図２】
0003591014.tif 000003
【図３】
0003591014.tif 000004
【図４】
0003591014.tif 000005
【図５】
0003591014.tif 000006
【図６】
0003591014.tif 000007
【図７】
0003591014.tif 000008